(57)【特許請求の範囲】
【請求項１】
冷媒が流れるパイプの外周に放熱フィンを取着したフィン付きパイプを複数段、複数列に折り曲げ、このフィン付きパイプの折り曲げ体よりなるフィンコンデンサを冷蔵庫の機械室に取り付ける構造であって、
前記フィンコンデンサが、その上部と下部をそれぞれ保持する上部固定部材及び下部固定部材によって機械室内に固定され、
前記上部固定部材が、前記フィンコンデンサ上面のフィン付きパイプを保持する保持部と、該保持部の上方に位置して機械室に取り付けられる取付部と、保持部と取付部との間を連結する上下方向に弾力性を有する連結部とを備え、
該上部固定部材により、前記フィンコンデンサを上下方向に弾力性を持たせて固定した、
ことを特徴とするフィンコンデンサの取付構造。
【請求項２】
前記フィンコンデンサの上面に並設された複数列のフィン付きパイプは、少なくとも１列が他の列よりも低い位置に配されており、
前記上部固定部材の前記保持部は、少なくともこの低く配された列のフィン付きパイプを保持し、しかも、この低く配された列のフィン付きパイプを保持した部分から前記連結部が延びている、
請求項１記載のフィンコンデンサの取付構造。
【請求項３】
前記上部固定部材の前記連結部が、上下方向に弾力性を持つように曲げ成形された板状部よりなる、
請求項１又は２記載のフィンコンデンサの取付構造。
【請求項４】
前記上部固定部材の前記保持部が、前記フィンコンデンサの上面に並設された複数列のフィン付きパイプを互いに位置決めした状態に保持する、
請求項１〜３のいずれか１項に記載のフィンコンデンサの取付構造。
【請求項５】
前記上部固定部材の前記保持部からパイプ支持部を延設させて、該パイプ支持部で前記フィンコンデンサから引き出されたフィンを持たないパイプを支持させた、
請求項１〜４のいずれか１項に記載のフィンコンデンサの取付構造。
【請求項６】
放熱器として更に冷蔵庫のキャビネット内に埋設される放熱パイプを備え、冷蔵庫のコンプレッサから引き出したパイプを該放熱パイプに接続し、この放熱パイプから引き出したパイプに、前記フィンコンデンサの上流側の端部を接続した、
請求項１〜５のいずれか１項に記載のフィンコンデンサの取付構造。
【請求項７】
前記フィンコンデンサが、放熱フィンをパイプの外周に螺旋状に取り付けたフィン付きパイプよりなるスパイラルフィンコンデンサである、
請求項１〜６のいずれか１項に記載のフィンコンデンサの取付構造。
【発明の詳細な説明】
【０００１】
【発明の属する技術分野】
本発明は、冷蔵庫におけるフィンコンデンサの取付構造に関する。
【０００２】
【従来の技術】
従来より、放熱器の一つとしてフィンコンデンサを用いる冷蔵庫がある。フィンコンデンサとしては、冷媒が流れるパイプの外周に放熱フィンを取着したフィン付きパイプを複数段、複数列に折り曲げてなるものがある。
【０００３】
このようなフィンコンデンサは、その上部と下部の２箇所をそれぞれ固定具を用いて冷蔵庫の機械室内に固定されているが、従来の固定具は、上部側及び下部側ともに自由度のない状態でフィンコンデンサを機械室に固定している。
【０００４】
【発明が解決しようとする課題】
しかしながら、上記のようなフィンコンデンサは、その製造上、寸法バラツキを生じやすく、そのため、上記従来のような自由度のない固定具では固定しにくいという問題がある。
【０００５】
また、寸法バラツキがある場合に無理して固定すると、フィンコンデンサのパイプ自体に引っ張りや押しつけのテンションがかかり、極端な場合、パイプの疲労破壊による冷媒漏れにつながる可能性もある。また、たとえ取付時にはこのようなテンションがなくても、フィンコンデンサが自由度のない状態で固定されていると、コンプレッサなどの振動に起因して、パイプにテンションがかかり、同様の問題が生じる可能性もある。
【０００６】
特に、従来、このようなフィンコンデンサは、配管上、コンプレッサから引き出したパイプをすぐに接続する場合が多いため、かかる振動の影響を受けやすい。
【０００７】
また、従来、かかる振動を吸収するために、フィンコンデンサの取付にクッションゴムを使用する場合もあるが、クッションゴムの使用はコストアップにつながるという問題がある。
【０００８】
本発明は、以上の点に鑑みてなされたものであり、製造上寸法バラツキが出やすいフィンコンデンサをそのパイプ自体に負担をかけることなく機械室に容易に取り付けることができ、しかも取付後にもパイプへの負担を低減することができるフィンコンデンサの取付構造を提供することを目的とする。
【０００９】
【課題を解決するための手段】
本発明のフィンコンデンサの取付構造は、冷媒が流れるパイプの外周に放熱フィンを取着したフィン付きパイプを複数段、複数列に折り曲げ、このフィン付きパイプの折り曲げ体よりなるフィンコンデンサを冷蔵庫の機械室に取り付ける構造であって、前記フィンコンデンサが、その上部と下部をそれぞれ保持する上部固定部材及び下部固定部材によって機械室内に固定され、前記上部固定部材が、前記フィンコンデンサ上面のフィン付きパイプを保持する保持部と、該保持部の上方に位置して機械室に取り付けられる取付部と、保持部と取付部との間を連結する上下方向に弾力性を有する連結部とを備え、該上部固定部材により、前記フィンコンデンサを上下方向に弾力性を持たせて固定したものである。
【００１０】
本発明の取付構造であると、上下方向に弾力性を有する連結部を備える上部固定部材でフィンコンデンサの上部を機械室に取り付けるので、製造上寸法バラツキが出やすいフィンコンデンサを、そのパイプ自体に負担をかけることなく、容易に機械室に取り付けることができる。また、取り付けられたフィンコンデンサは、この上部固定部材により、上下方向に弾力性を持った状態に固定されるので、コンプレッサなどの冷蔵庫の振動をこの上部固定部材で吸収して、パイプ自体にかかるテンションを低減することができる。
【００１１】
上記取付構造において、前記フィンコンデンサの上面に並設された複数列のフィン付きパイプは、少なくとも１列が他の列よりも低い位置に配されており、前記上部固定部材の前記保持部は、少なくともこの低く配された列のフィン付きパイプを保持し、しかも、この低く配された列のフィン付きパイプを保持した部分から前記連結部が延びている場合がある。
【００１２】
この場合、フィンコンデンサ全体の高さを低くすることなく、連結部の高さ寸法を大きく確保して上下方向の弾力性を有効に付与することができる。
【００１３】
このような連結部としては、上下方向に弾力性を持つように曲げ成形された板状部よりなることが好ましい。
【００１４】
また、上部固定部材の保持部により、フィンコンデンサの上面に並設された複数列のフィン付きパイプを互いに位置決めした状態に保持させることが好ましい。
【００１５】
上記取付構造においては、前記上部固定部材の前記保持部からパイプ支持部を延設させて、該パイプ支持部で前記フィンコンデンサから引き出されたフィンを持たないパイプを支持させる場合がある。
【００１６】
このように上部固定部材のパイプ支持部によってフィンコンデンサから引き出されたパイプを支持させることにより、上部固定部材がフィンコンデンサを保持する位置を位置決めしやすくなる。
【００１７】
上記取付構造においては、放熱器として更に冷蔵庫のキャビネット内に埋設される放熱パイプを備え、冷蔵庫のコンプレッサから引き出したパイプを該放熱パイプに接続し、この放熱パイプから引き出したパイプに、前記フィンコンデンサの上流側の端部を接続する場合がある。
【００１８】
このように、コンプレッサから引き出したパイプを直接ではなく、キャビネット内に埋設された放熱パイプを介して、フィンコンデンサに接続することにより、騒音源であるコンプレッサからの振動がフィンコンデンサに作用することをさらに効果的に抑制することができる。
【００１９】
【発明の実施の形態】
以下、本発明の実施形態について図面を参照して説明する。
【００２０】
図１は、本発明の１実施形態に係るフィンコンデンサ１０の取付構造を示す機械室２の断面図であり、図２は機械室２の背面斜視図、図３はフィン付きパイプ１２の一部拡大斜視図、図４はフィンコンデンサ１０の取付構造を示す正面図、図５は同平面図、図６は同取付構造の分解斜視図である。
【００２１】
機械室２は、冷蔵庫キャビネット１の底部背面側において、キャビネット底板３とコンプ台４との間で形成されている。図２に示すように、機械室２は、冷蔵庫の全幅にわたって形成されており、その内部に、コンプレッサ５と蒸発皿６とファン７とフィンコンデンサ１０が配されている。コンプレッサ５はコンプ台４上に載置されており、その上に蒸発皿６が配されている。機械室２には、また、その内部を左右に仕切る仕切壁８が設けられており、この仕切壁８に上記ファン７が取り付けられ、仕切壁８の一方側にコンプレッサ５が、その反対側にフィンコンデンサ１０がそれぞれ配されている。これにより、機械室２内には、コンプレッサ５、ファン７及びフィンコンデンサ１０が、この順に横一列で配されている。
【００２２】
フィンコンデンサ１０は、フィン付きパイプ１２を、上下方向に４段、水平方向（本実施形態では左右方向）に４列に折り曲げてなる、フィン付きパイプの折り曲げ体により構成されている。詳細には、図４に示すように、フィン付きパイプ１２が千鳥足状に配されるように折り曲げられている。すなわち、互いに隣り合う２列で各段のパイプ１２が互い違いの高さになるように折り曲げられており、これにより、図１に示すように、フィンコンデンサ１０を側方からみたときに、手前の列の各段のパイプ１２の間に、その隣の列のパイプ１２を配置させて、放熱効果を高めるように構成されている。
【００２３】
図４〜６に示すように、フィン付きパイプ１２は、その上流側の端部１２ａがフィンコンデンサ１０の上面に位置するように、当該上流側端部１２ａから下方に向けて前後に折り返して１列目が形成され、最下段で側方に折り曲げて、２列目が今度は上方に向かって前後に折り返されて形成されている。このようにして４列目まで折り曲げると、下流側の端部１２ｂもフィンコンデンサ１０の上面に配される。折り曲げられたフィンコンデンサ１０は、図２に示すように、上流側端部１２ａが位置する１列目がファン７側に配されてファン７と向かい合うように、機械室２に取り付けられる。
【００２４】
ここで、フィン付きパイプ１２は、図３に示すように、冷媒が流れるパイプ１４の外周に、帯状の放熱フィン１６を、螺旋状に取り付けたものであり、従って、このフィンコンデンサ１０はスパイラルフィンコンデンサである。図１，２及び４〜７では、この螺旋状のフィン１６が取り付けられたフィン付きパイプ１２を単なるチューブ状で示している。なお、フィン付きパイプ１２としては、このようなスパイラルフィンには限定されず、例えば、円形板や矩形板などの小片の放熱フィンを多数用いて、これらのフィンを所定の間隔でパイプに取着したものであってもよい。このようなフィン付きパイプ１２を用いることにより、フィンコンデンサ１０としたときに、隣接するパイプ１２が放熱フィン１６で互いに連結されないものになっている。
【００２５】
次に、フィンコンデンサ１０の機械室２への取付構造について説明する。
【００２６】
フィンコンデンサ１０は、図１に示すように、上部固定部材１８と下部固定部材２０とによって機械室２内に固定されている。上部固定部材１８は、フィンコンデンサ１０の上部を機械室２の天井部に固定するものであり、下部固定部材２０は、フィンコンデンサ１０の下部を機械室２底部のコンプ台４に固定するものである。
【００２７】
図６に示すように、上部固定部材１８は、上下２つの金属製の板部材１８ａ，１８ｂより構成されており、両板部材１８ａ，１８ｂで、フィンコンデンサ１０の上面に配された４本のフィン付きパイプ１２を、所定の間隔をあけて位置決めした状態に挟持する。詳細には、上側の板部材１８ａの両端部に、ネジ穴２２と係止爪２３をそれぞれ設けるとともに、下側の板部材１８ｂの両端部に、上記ネジ穴２２に対応するネジ穴２４と、上記係止爪２３が挿入されるスリット２５をそれぞれ設け、上下の板部材１８ａ，１８ｂで４本のパイプ１２を挟んだ状態で、係止爪２３をスリット２５に挿入してネジ２６で固定することにより、フィンコンデンサ１０の上部が保持される。
【００２８】
下部固定部材２０も、上部固定部材１８と同様に、上下２つの金属製の板部材２０ａ，２０ｂで、フィンコンデンサ１０の下面に配された４本のフィン付きパイプ１２を、所定の間隔をあけて位置決めした状態に挟持するようになっている。
【００２９】
図１に示すように、上部固定部材１８は、フィンコンデンサ１０上面のフィン付きパイプ１２を保持する保持部２８と、保持部２８の上方に位置して機械室２に取り付けられる取付部３０と、保持部２８と取付部３０との間を連結する上下方向に弾力性を有する連結部３２よりなる。保持部２８は、上記した上下の板部材１８ａ，１８ｂがパイプ１２を挟持する部分であり、連結部３２は、上側の板部材１８ａからの延設部分を上下方向に弾力性を持つように曲げ成形した部分であり、取付部３０は、機械室２の天井部に相当するキャビネット後板９の下端にネジ３４で固定される部分である。
【００３０】
具体的には、連結部３２は、両側の列よりも低く配された３列目のフィン付きパイプ１２を保持した部分２８ａ（図４参照）から、後方に向かって水平に延び、その先端で上方に大きな曲げＲをつけて折り返し、更に前方に向かって水平に延びる断面Ｕ字状に形成されている。そして、その先端を上方に折り曲げて鉛直な取付部３０が形成されている。
【００３１】
下部固定部材２０は、フィンコンデンサ１０下面のフィン付きパイプ１２を保持する保持部３５と、この保持部３５の両端部において下側の板部材２０ｂから延設されてネジ３８でコンプ台４に固定される取付部３６よりなる。
【００３２】
フィンコンデンサ１０を取り付ける際には、フィンコンデンサ１０に上下の固定部材１８，２０を装着した状態で、下部固定部材２０でフィンコンデンサ１０の下部をコンプ台４上に固定した後、上部固定部材１８の取付部３０をフィンコンデンサ１０の上部を機械室２の天井部に固定する。これにより、フィンコンデンサ１０は、上下方向に弾力性を持たせた状態で機械室２内に取り付けられる。
【００３３】
このようにしてフィンコンデンサ１０を機械室２に取り付けた後、フィン付きパイプ１２の上流側端部１２ａから引き出された上流側のパイプ１４ａを、キャビネット後板９の下端に設けられたパイプ引き出し部９ａから引き出されたパイプ接続部５０と接続する。このパイプ接続部５０は、コンプレッサ５から引き出されてキャビネット後板９の内側に埋設された背面放熱パイプ５２から引き出されている（図２参照）。
【００３４】
一方、フィン付きパイプ１２の下流側端部１２ｂから引き出された下流側のパイプ１４ｂは、機械室２前方のキャビネット底面に配された不図示の底面コンデンサに接続される。
【００３５】
以上説明した本実施形態のフィンコンデンサ１０の取付構造であると、上下方向に弾力性を有する連結部３２を備える上部固定部材１８でフィンコンデンサ１０の上部を機械室２に取り付けるので、製造上寸法バラツキが出やすいフィンコンデンサ１０を、そのパイプ１４自体に負担をかけることなく、容易に取り付けることができる。
【００３６】
また、取り付けられたフィンコンデンサ１０は、上部固定部材１８により、上下方向に弾力性を持った状態に固定されるので、コンプレッサ５の振動をこの上部固定部材１８で吸収して、パイプ１２自体にかかるテンションを低減することができる。しかも、フィンコンデンサ１０への配管は、コンプレッサ５から直接ではなく、背面放熱パイプ５２を介してなされているので、騒音源であるコンプレッサ５からの振動が背面放熱パイプ５２でも吸収され、従って、フィンコンデンサ１０に作用する振動をさらに低減することができる。
【００３７】
また、上部固定部材１８の連結部３２が、両側の列よりも低く配された３列目のフィン付きパイプ１２を保持した部分２８ａから延びているので、連結部３２の上下方向寸法を大きく確保することができ、そのため、連結部３２の曲率半径を大きくして弾力性を有効に付与することができる。
【００３８】
図７は、本発明の他の実施形態に係るフィンコンデンサ１０の取付構造を示す斜視図である。
【００３９】
この実施形態では、上部固定部材１８の保持部２８からパイプ支持部４０を延設させて、このパイプ支持部４０でフィンコンデンサ１０から引き出された下流側のパイプ１４ｂを支持させている。その他の構造は上記実施形態と同様である。
【００４０】
詳細には、上部固定部材１８の上側の板部材１８ａの端部から前方に狭幅板状のパイプ支持部４０が一体に延設され、その先端が下方に折曲されて受け部４２が形成されており、この受け部４２で下流側のパイプ１４ｂを受け止めるように支持している。
【００４１】
この場合、パイプ支持部４０の長さを適宜に設定することにより、上部固定部材１８がフィンコンデンサ１０を保持する位置を位置決めすることができ、従って、上部固定部材１８をフィンコンデンサ１０に装着する際に、上部固定部材１８を位置決めしやすくなり、フィンコンデンサ１０の取付作業性に優れる。
【００４２】
【発明の効果】
本発明のフィンコンデンサの取付構造であると、製造上寸法バラツキが出やすいフィンコンデンサを、そのパイプ自体に負担をかけることなく、容易に機械室に取り付けることができ、また、コンプレッサなどの冷蔵庫の振動に起因してパイプにかかるテンションも低減することができる。また、フィンコンデンサの取付にクッションゴムを使用する必要もないので、コストダウンが図れる。
【図面の簡単な説明】
【図１】本発明の１実施形態に係るフィンコンデンサの取付構造を示す機械室の断面図である。
【図２】該機械室の背面斜視図である。
【図３】フィン付きパイプの一部拡大斜視図である。
【図４】該フィンコンデンサの取付構造を示す正面図である。
【図５】該フィンコンデンサの取付構造を示す平面図である。
【図６】該フィンコンデンサの取付構造の分解斜視図である。
【図７】他の実施形態に係るフィンコンデンサの取付構造を示す斜視図である。
【符号の説明】
１……冷蔵庫キャビネット
２……機械室
５……コンプレッサ
１０……フィンコンデンサ
１２……フィン付きパイプ
１４……パイプ
１６……放熱フィン
１８……上部固定部材
２０……下部固定部材
２８……保持部
３０……取付部
３２……連結部
４０……パイプ支持部
５０……パイプ接続部
５２……背面放熱パイプ
【図１】
0003646033.tif 000002
【図２】
0003646033.tif 000003
【図３】
0003646033.tif 000004
【図４】
0003646033.tif 000005
【図５】
0003646033.tif 000006
【図６】
0003646033.tif 000007
【図７】
0003646033.tif 000008